(57)【要約】【課題】  消費電力の異なる複数の動作モードに対応しつつ、低消費電力の動作モードで動作する場合でも、電源効率よく動作させることができる電子機器及び画像形成装置を提供する。【解決手段】  本発明に係る電子機器は、第１の電圧供給部と、第１の電圧供給部よりも容量の少ない第２の電圧供給部と、当該電子機器の本体部と、制御部と、制御部へ印加する電圧の供給源を切替える切替部とを有し、制御部は第１の動作状態又はより消費電力が低い第２の状態で動作することが可能であり、切替部は制御部が前記第２の動作状態に移行する際に制御部の電源を第２の電圧供給部に切替え、制御部が第１の動作状態に移行する際に制御部の電源を第１の電圧供給部の切替えることを特徴とする。【選択図】      図１
2015020361.tif 000002
【特許請求の範囲】
【請求項１】
第１の電圧供給部と、前記第１の電圧供給部よりも容量の少ない第２の電圧供給部と、
当該電子機器の機能に係る構成を有する本体部と、
前記本体部に係る制御処理を行うものであって、前記第１の電圧供給部又は前記第２の電圧供給部を供給源とする電圧で駆動する制御部と、
前記制御部へ印加する電圧の供給源を、前記第１の電圧供給部、又は前記第２の電圧供給部のいずれかに切替える切替部とを有し、
前記制御部は、所定の消費電力で動作する第１の動作状態又は、前記第１の動作状態よりも消費電力が低い状態で動作する第２の動作状態のいずれかで動作することが可能であり、
前記切替部は、前記制御部が前記第２の動作状態に移行する際に、前記制御部へ印加する電圧の供給源を、前記第２の電圧供給部に切替え、前記制御部が前記第１の動作状態に移行する際に、前記制御部へ印加する電圧の供給源を、前記第１の電圧供給部に切替える
ことを特徴とする電子機器。
【請求項２】
前記切替部は、前記制御部が前記第１の動作状態から前記第２の動作状態に移行する際に、前記制御部が前記第１の動作状態で動作する状態に遷移した後に、前記制御部へ印加する電圧の供給源を、前記第１の電圧供給部から前記第２の電圧供給部に切替えることを特徴とする請求項１に記載の電子機器。
【請求項３】
前記第２の電圧供給部から前記切替部に印加される電圧に基づく電力を蓄電する蓄電部をさらに備え、
前記切替部は、前記制御部へ印加する電圧の供給源を、前記第１の電圧供給部から前記第２の電圧供給部に切替える際に、前記第１の電圧供給部からの電圧供給を遮断した後、前記第２の電圧供給部を供給源とする前記制御部への電圧印加を開始し、
前記切替部は、前記第１の電圧供給部からの電圧供給が遮断された後、前記蓄電部に蓄電された電力を供給源とする電圧を、前記制御部に印加する
ことを特徴とする請求項１又は２に記載の電子機器。
【請求項４】
前記蓄電部は、少なくとも、前記切替部で、前記第１の電圧供給部からの電圧供給が遮断された後、前記第２の電圧供給部を供給源とする前記制御部へ印加される電圧が所定値に上昇するまでの間、前記制御部に印加される電圧が垂下しない電気的特性を備える電気回路で構成されていることを特徴とする請求項３に記載の電子機器。
【請求項５】
前記切替部が、前記制御部へ印加する電圧の供給源を、前記第２の電圧供給部から前記第１の電圧供給部に切替える際に、前記第１の電圧供給部からの電圧供給を再開し、前記第１の電圧供給部から前記切替部へ印加される電圧が所定値に上昇したことを検知する電圧検知手段と、
前記電圧検知手段が、前記第１の電圧供給部から前記切替部へ印加される電圧が所定値に上昇したことを検知した後、前記制御部へ印加する電圧の供給源を、前記第２の電圧供給部から前記第１の電圧供給部に切替えるように前記切替部を制御する切替制御手段と
をさらに備えることを特徴とする請求項１〜４のいずれかに記載の電子機器。
【請求項６】
前記電圧検知手段及び切替制御手段が、マイクロコンピュータを用いて構成されていることを特徴とする請求項５に記載の電子機器。
【請求項７】
前記切替部は、前記制御部の制御に応じて、前記制御部が前記第２の動作状態に移行する場合でも、前記第２の電圧供給部による当該電子機器への他の構成要素への電圧印加を遮断しないことを特徴とする請求項１〜６のいずれかに記載の電子機器。
【請求項８】
第１の電圧供給部と、前記第１の電圧供給部よりも容量の少ない第２の電圧供給部と、
媒体に画像形成する処理を行う画像形成部と、
前記本体部に係る制御処理を行うものであって、前記第１の電圧供給部又は前記第２の電圧供給部を供給源とする電圧で駆動する制御部と、
前記制御部へ印加する電圧の供給源を、前記第１の電圧供給部、又は前記第２の電圧供給部のいずれかに切替える切替部とを有し、
前記制御部は、所定の消費電力で動作する第１の動作状態又は、前記第１の動作状態よりも消費電力が低い状態で動作する第２の動作状態のいずれかで動作することが可能であり、
前記切替部は、前記制御部が前記第２の動作状態に移行する際に、前記制御部へ印加する電圧の供給源を、前記第２の電圧供給部に切替え、前記制御部が前記第１の動作状態に移行する際に、前記制御部へ印加する電圧の供給源を、前記第１の電圧供給部に切替える
ことを特徴とする画像形成装置。
【発明の詳細な説明】
【技術分野】
【０００１】
この発明は、電子機器及び画像形成装置に関し、例えば、消費電力の異なる複数の動作モードに対応したプリンタに適用することができる。
【背景技術】
【０００２】
通常、オフィス等に設置されたプリンタは、連続して長時間起動し続けるものの、実際に印刷処理する期間は起動している時間と比較して短い。そのため、従来のプリンタでは、印刷可能な状態よりも少ない消費電力で動作して印刷処理の開始まで待機する動作モード（以下、「省電力動作モード」と呼ぶ）に対応したものがある。なお、以下ではプリンタが通常動作している状態（印刷可能な状態、言い換えると省電力動作モードではない状態）を、以下では「通常動作モード」と呼ぶものとする
従来の省電力動作モードに対応したプリンタとしては、例えば、特許文献１に記載されたプリンタがある。
【０００３】
特許文献１に記載されたプリンタでは、省電力動作モードで動作する際に最低限必要となる処理（ネットワーク制御等）だけを行うことができるサブプロセッサと、通常動作モードで必要となる処理（画像形成装置の制御等を含む処理）を行うことができるメインプロセッサとを備えている。そして、特許文献１に記載されたプリンタでは、通常動作モードで動作する場合、サブプロセッサの電源供給を停止し、省電力動作モードで動作する場合には、メインプロセッサの電源供給を停止することにより、待機時の電力消費を削減することができる。
【先行技術文献】
【特許文献】
【０００４】
【特許文献１】特開２０１１−８５２号公報
【発明の概要】
【発明が解決しようとする課題】
【０００５】
しかしながら、従来のプリンタでは、省電力動作モードで動作する場合と、通常動作モードで動作する場合とで、消費電力が大きく変化するため、省電力動作モードのように低負荷で動作させる場合には、電源効率が悪くなる（通常動作モードと比較して低くなる）という問題があった。
【０００６】
そのため、消費電力の異なる複数の動作モードに対応しつつ、低消費電力の動作モードで動作する場合でも、電源効率よく動作させることができる電子機器及び画像形成装置が望まれている。
【課題を解決するための手段】
【０００７】
第１の本発明の電子機器は、（１）第１の電圧供給部と、前記第１の電圧供給部よりも容量の少ない第２の電圧供給部と、（２）当該電子機器の機能に係る構成を有する本体部と、（３）前記本体部に係る制御処理を行うものであって、前記第１の電圧供給部又は前記第２の電圧供給部を供給源とする電圧で駆動する制御部と、（４）前記制御部へ印加する電圧の供給源を、前記第１の電圧供給部、又は前記第２の電圧供給部のいずれかに切替える切替部とを有し、（５）前記制御部は、所定の消費電力で動作する第１の動作状態又は、前記第１の動作状態よりも消費電力が低い状態で動作する第２の動作状態のいずれかで動作することが可能であり、（６）前記切替部は、前記制御部が前記第２の動作状態に移行する際に、前記制御部へ印加する電圧の供給源を、前記第２の電圧供給部に切替え、前記制御部が前記第１の動作状態に移行する際に、前記制御部へ印加する電圧の供給源を、前記第１の電圧供給部に切替えることを特徴とする。
【０００８】
第２の本発明の画像形成装置は、（１）第１の電圧供給部と、前記第１の電圧供給部よりも容量の少ない第２の電圧供給部と、（２）媒体に画像形成する処理を行う画像形成部と、（３）前記本体部に係る制御処理を行うものであって、前記第１の電圧供給部又は前記第２の電圧供給部を供給源とする電圧で駆動する制御部と、（４）前記制御部へ印加する電圧の供給源を、前記第１の電圧供給部、又は前記第２の電圧供給部のいずれかに切替える切替部とを有し、（５）前記制御部は、所定の消費電力で動作する第１の動作状態又は、前記第１の動作状態よりも消費電力が低い状態で動作する第２の動作状態のいずれかで動作することが可能であり、（６）前記切替部は、前記制御部が前記第２の動作状態に移行する際に、前記制御部へ印加する電圧の供給源を、前記第２の電圧供給部に切替え、前記制御部が前記第１の動作状態に移行する際に、前記制御部へ印加する電圧の供給源を、前記第１の電圧供給部に切替えることを特徴とする。
【発明の効果】
【０００９】
本発明によれば、消費電力の異なる複数の動作モードに対応しつつ、低消費電力の動作モードで動作する場合でも、電源効率よく動作させることができる電子機器及び画像形成装置を提供することができる。
【図面の簡単な説明】
【００１０】
【図１】第１の実施形態に係るプリンタの機能的構成について示したブロック図である。
【図２】第１の実施形態に係るプリンタを構成する電源切替回路部の内部構成について示した説明図である。
【図３】第１の実施形態に係るプリンタの電源オフ状態から通常動作モードに移行する際の動作について示したフローチャートである。
【図４】第１の実施形態に係るプリンタの電源オフ状態から通常動作モードに移行する際の動作について示したタイミングチャートである。
【図５】第１の実施形態に係るプリンタが通常動作モードから省電力動作モードに移行する際の動作について示したフローチャートである。
【図６】第１の実施形態に係るプリンタが通常動作モードから省電力動作モードに移行する際の動作について示したタイミングチャートである。
【図７】第１の実施形態に係るプリンタが省電力動作モードから通常動作モードに移行する際の動作について示したフローチャートである。
【図８】第１の実施形態に係るプリンタが省電力動作モードから通常動作モードに移行する際の動作について示したタイミングチャートである。
【図９】第１の実施形態に係るプリンタが通常動作モードから電源オフの状態に移行する際の動作について示したフローチャートである。
【図１０】第２の実施形態に係るプリンタの機能的構成について示したブロック図である。
【図１１】第２の実施形態に係るプリンタを構成する電源切替回路部の内部構成について示した説明図である。
【図１２】第２の実施形態に係るプリンタが電源オフ状態から通常動作モードに移行する際の動作について示したフローチャートである。
【図１３】第２の実施形態に係るプリンタが電源オフ状態から通常動作モードに移行する際の動作について示したタイミングチャートである。
【図１４】第２の実施形態に係るプリンタが通常動作モードから省電力動作モードに移行する際の動作について示したフローチャートである。
【図１５】第２の実施形態に係るプリンタが通常動作モードから省電力動作モードに移行する際の動作について示したタイミングチャートである。
【図１６】第２の実施形態に係るプリンタが省電力動作モードから通常動作モードに移行する際の動作について示したフローチャートである。
【図１７】第２の実施形態に係るプリンタが省電力動作モードから通常動作モードに移行する際の動作について示したタイミングチャートである。
【図１８】第３の実施形態に係るプリンタの機能的構成について示したブロック図である。
【図１９】第３の実施形態に係るプリンタが通常動作モードから第２の省電力動作モードに移行する際の動作について示したフローチャートである。
【図２０】第３の実施形態に係るプリンタが通常動作モードから第２の省電力動作モードに移行する際の動作について示したタイミングチャートである。
【図２１】第３の実施形態に係るプリンタが第２の省電力動作モードから通常動作モードに移行する際の動作について示したフローチャートである。
【図２２】第３の実施形態に係るプリンタが省電力動作モードから通常動作モードに移行する際の動作について示したタイミングチャートである。
【発明を実施するための形態】
【００１１】
（Ａ）第１の実施形態
以下、本発明による電子機器及び画像形成装置の第１の実施形態を、図面を参照しながら詳述する。以下では、本発明の電子機器及び画像形成装置をプリンタに適用した場合の例について説明する。
【００１２】
（Ａ−１）第１の実施形態の構成
図１は、この実施形態のプリンタ１の全体構成を示すブロック図である。
【００１３】
プリンタ１は、印刷媒体に画像形成を行う画像形成部（本体部）としての画像形成エンジン１１０を有しており、さらに、画像形成エンジン１１０を制御するための構成要素として、プリンタ制御部１０５、省電力制御部１０４、制御部としてのＣＰＵ１２１、不揮発メモリとしてのフラッシュメモリ１２０、及び揮発メモリ（ＤＲＡＭ）としてのＲＡＭ１２２、１２５を有している。また、プリンタ１は、図示しない外部電源（例えば、交流電力の電源コンセント）に接続するための電源プラグ１０１、低電圧の電源装置としての低圧電源１０２、高電圧の電源装置としての高圧電源１１９、ＰｃｈＦＥＴ１０６、電源スイッチ１０７、ＤＣ／ＤＣコンバータ１０９、ＤＣ／ＤＣコンバータ１２３、及び電源切替回路部１２４も有している。
【００１４】
この実施形態において、画像形成エンジン１１０としては、電子写真式の画像形成処理（静電潜像に基づく現像剤像（トナー像）を印刷用紙に転写して定着させる画像形成処理）を行うことが可能なものであるものとする。なお、画像形成エンジン１１０が対応する画像形成方式（印刷処理方式）については電子写真式に限定されないものであり、他の画像形成方式（例えば、インク式やドットインパクト式等）を適用することもできる。
【００１５】
プリンタ制御部１０５は、画像形成エンジン１１０の各構成要素の制御や、供給された印刷データ（画像データ）の画像処理（例えば、画像形成エンジン１１０が画像形成で用いる信号に変換する処理）等の機能を担っている。プリンタ制御部１０５としては、画像形成エンジン１１０の構成に対応する種々の制御構成（例えば、種々のプリンタで用いられる制御部）を適用することができる。また、プリンタ制御部１０５にはＲＡＭ１２５が接続されている。プリンタ制御部１０５は、ＲＡＭ１２５に画像形成エンジン１１０を制御するための画像形成制御プログラムを展開して実行する。また、プリンタ制御部１０５は、画像形成エンジン１１０の制御に用いる各種データ（画像形成制御プログラムで用いられるデータ）もＲＡＭ１２５に記憶させる。また、プリンタ制御部１０５はホストＰＣ２より入力された印刷データに基づいて処理された画像データ（画像形成エンジン１１０で画像形成処理の過程で生成されるビットマップデータ等）もＲＡＭ１２５に展開して一時記憶する。
【００１６】
ＣＰＵ１２１、ＲＡＭ１２２、及びフラッシュメモリ１２０は、プリンタ１の全体制御を担う装置制御プログラムを実行するためのコンピュータを構成している。フラッシュメモリ１２０は、上述の装置制御プログラム、各種データ（装置制御プログラムの実行に必要となるパラメータ等）が記憶されている。そして、ＣＰＵ１２１は、起動時に、フラッシュメモリ１２０から装置制御プログラム等を読み込んで、ＲＡＭ１２２上に展開して実行する。また、フラッシュメモリ１２０は、プリンタ制御部１０５が実行する装置制御プログラム及び画像形成制御プログラムで用いられるデータも記憶している。ＣＰＵ１２１は、起動時に、画像形成制御プログラム及び画像形成制御プログラムで用いられるデータを読み込んで、プリンタ制御部１０５に供給する。
【００１７】
また、ＣＰＵ１２１は、プリンタ制御部１０５との通信インタフェース（Ｉ／Ｏインタフェース）の機能を担う通信回路１２１ａ、ＲＡＭ１２２との通信インタフェース（Ｉ／Ｏインタフェース）の機能を担う通信回路１２１ｂ、ＣＰＵ１２１内部の回路の駆動タイミングを制御するクロック信号を出力するクロック回路１２１ｃ等を有している。図１には図示されていないが、ＣＰＵ１２１には演算回路、キャッシュ回路、レジスタ回路等ＣＰＵとして必要な他の回路構成も備えている。また、ＣＰＵ１２１は、一部の機能を停止して通常時（印刷処理可能な状態）よりも少ない消費電力で動作する状態（以下、「スリープ状態」、又は「第２の動作状態」と呼ぶ）に遷移することができる。具体的には、ＣＰＵ１２１は、スリープ状態となると、クロック回路１２１ｃを停止し、後述する割込信号に基づく割込み処理のみ可能な状態で待機し、待機中の消費電力の削減を行うものとする。なお、以下では、ＣＰＵ１２１が通常時（印刷時）に必要となる機能を活性化した状態（スリープ状態でない状態）を「稼働状態」又は「第２の動作状態」と呼ぶものとする。
【００１８】
ＣＰＵ１２１としては、スリープ状態に遷移することが可能な種々のＣＰＵを用いることができる。ここでは、ＣＰＵ１２１として、稼働状態の消費電力が１０Ｗ、スリープ状態の消費電力が１Ｗとなるものを採用しているものとする。
【００１９】
また、プリンタ１には、図示しないＬＡＮやＵＳＢ等のインタフェースを介して接続可能な外部のホストＰＣ２から、印刷データ（印刷ジョブのデータ）入力を受けて、その印刷データに基づく印刷（印刷用紙への印刷処理）を行うことが可能な構成となっている。
【００２０】
低電圧用の電源装置である第２の電圧供給部としての低圧電源１０２は、サブ電源１１１、リレー回路１１２、及び第１の電圧供給部としてのメイン電源１１３を有している。また、低圧電源１０２において、サブ電源１１１、及びリレー回路１１２は、電源プラグ１０１に接続されている。
【００２１】
サブ電源１１１は直流５Ｖのサブ電源電圧Ｅ５ＶＳ０を出力する。そして、サブ電源電圧Ｅ５ＶＳ０は、パワーオフ制御部１０３、及びＰｃｈＦＥＴ１０６のソース端子に入力される。
【００２２】
パワーオフ制御部１０３及び省電力制御部１０４は、プリンタ１内の電源制御を行う機能を担っている。省電力制御部１０４としては、例えば、後述する動作説明の信号処理を行うことが可能なＡＳＩＣ等のＩＣチップを用いて構成することができる。また、パワーオフ制御部１０３は、外部と信号を授受するインタフェースと、電圧測定可能な端子を有するＡＤＣ（Ａｎａｌｏｇ  ｔｏ  Ｄｉｇｉｔａｌ  Ｃｏｎｖｅｒｔｅｒ、図１ではＡＤＣ１１７）を備えたマイクロコンピュータを用いて構成することができる。
【００２３】
パワーオフ制御部１０３は、電源スイッチ１０７と接続されており、抵抗１１４によってサブ電源電圧Ｅ５ＶＳ０ヘプルアップされたＰＷＲＳＷＯＮ−Ｎ信号が入力される。電源スイッチ１０７はグラウンドヘ接続されており、電源スイッチ１０７が押下されると、ＬｏｗレベルのＰＷＲＳＷＯＮ−Ｎ信号がパワーオフ制御部１０３へ入力され、非押下の状態でＨｉｇｈレベルのＰＷＲＳＷＯＮ−Ｎ信号がパワーオフ制御部１０３へ入力されるように成されている。
【００２４】
パワーオフ制御部１０３は、サブ電源１１１に係る制御を行うための制御信号として、ＳＵＢＰＷＲＯＮ−Ｎ信号を出力する。そして、パワーオフ制御部１０３から出力されるＳＵＢＰＷＲＯＮ−Ｎ信号の信号線は、ＰｃｈＦＥＴ１０６のゲート端子接続されている。パワーオフ制御部１０３のＳＵＢＰＷＲＯＮ−Ｎ信号は、抵抗１１６によってＥ５ＶＳ０ヘプルアップされたオープンドレインの出力仕様となっている。ＰｃｈＦＥＴ１０６は、ＳＵＢＰＷＲＯＮ−ＮがＬｏｗレベルのときＯＮ状態となる。また、ＰｃｈＦＥＴ１０６は、ＳＵＢＰＷＲＯＮ−ＮがＨｉｇｈレベルのときオフ状態となる。
【００２５】
ＰｃｈＦＥＴ１０６のドレイン端子から出力されるサブ電源電圧Ｅ５ＶＳは、第１の制御部である省電力制御部１０４、パワーオフ制御部１０３のＡＤＣ１１７、及び切替手段である電源切替回路部１２４に入力される。
【００２６】
パワーオフ制御部１０３から出力されるサブ電源停止通知信号であるＯＦＦＭＯＤＥ−Ｐ信号は、省電力制御部１０４に入力されている。なお、ＯＦＦＭＯＤＥ−Ｐ信号（ＯＦＦＭＯＤＥ−Ｐ信号の信号線）は抵抗１１８によって５ＶＳへプルアップされたオープンドレインの出力仕様となっている。
【００２７】
省電力制御部１０４から出力されるサブ電源停止許可信号であるＡＵＴＯＯＦＦ＿ＯＫ−Ｐ信号（ＯＦＦＭＯＤＥ−Ｐ信号に対して応答するための信号）がパワーオフ制御部１０３に入力される。
【００２８】
省電力制御部１０４は、当該プリンタ１の省電力動作モードに係る制御処理と、外部（この実施形態ではホストＰＣ２）から印刷データを受信する機能を担っている。省電力制御部１０４は、当該プリンタ１の省電力動作モードに係る制御処理を行うためのＰｏｗｅｒｓａｖｅ−Ｎ信号を出力する。省電力制御部１０４は、外部から入力された印刷データを画像データに変換してプリンタ制御部１０５に出力する。プリンタ制御部１０５は状態通知信号を省電力制御部１０９に出力する。
【００２９】
省電力制御部１０４から出力されるＰｏｗｅｒｓａｖｅ−Ｎ信号は、リレー回路１１２、パワーオフ制御部１０３、及び電源切替回路部１２４に入力されている。Ｐｏｗｅｒｓａｖｅ−ＮがＬｏｗレベルからＨｉｇｈレベルとなると、リレー回路１１２がＯＮ状態となり、電源プラグ１０１からの交流電圧はメイン電源１１３に入力され、メイン電源電圧Ｅ５Ｖが立ち上がる（０Ｖから５Ｖに昇圧する）。一方で、Ｐｏｗｅｒｓａｖｅ−ＮがＨｉｇｈレベルからＬｏｗレベルとなると、リレー回路１１２がＯＦＦ状態となり、電源プラグ１０１からの交流電圧がメイン電源１１３に入力されない状態となり、メイン電源電圧Ｅ５Ｖが停止（５Ｖから０Ｖに降圧）する。
【００３０】
メイン電源１１３は直流の５Ｖ電圧（以下、「メイン電源電圧Ｅ５Ｖ」と表す）と、直流の２４Ｖ電圧（以下、「メイン電源電圧Ｅ２４Ｖ」と表す）を出力して、プリンタ制御部１０５に供給する。メイン電源電圧Ｅ５ＶはＤＣ／ＤＣコンバータ１０９に入力され、２つの電圧３．３Ｖ、及び１．２Ｖに降圧（電圧変換）されて、それぞれの電圧がプリンタ制御部１０５に供給される。なお、図１では、図示の都合上、ＤＣ／ＤＣコンバータ１０９から出力される信号線は１本となっているが、実際には出力する各電圧ごとの信号線（端子）を用いて出力される。また、メイン電源電圧Ｅ５Ｖは、電源切替回路部１２４へ入力される。ＤＣ／ＤＣコンバータ１０９により降圧（電圧変換）された３．３Ｖの電圧は、プリンタ制御部１０５において、信号授受等のための電源（ＩＯ電源）として用いられ、１．２Ｖの電圧は内部の制御処理やデータ処理等のための電源（コア電源）となる。
【００３１】
なお、メイン電源１１３では、メイン電源電圧Ｅ２４Ｖの出力端子に、出力する電圧を安定化させるためのコンデンサ１１３ａが挿入されている。また、メイン電源１１３では、メイン電源電圧Ｅ５Ｖの出力端子に、出力する電圧を安定化させるためのコンデンサ１１３ｂが挿入されている。
【００３２】
また、この実施形態では、メイン電源電圧Ｅ２４Ｖ、及びメイン電源電圧Ｅ５Ｖは、それぞれ、プリンタ制御部１０５を介して画像形成エンジン１１０にも供給されるものとするが、メイン電源電圧Ｅ２４Ｖ、及びメイン電源電圧Ｅ５Ｖを、画像形成エンジン１１０に直接供給（メイン電源１１３と画像形成エンジン１１０とを直接接続）するようにしてもよい。
【００３３】
高圧電源１１９は、プリンタ１において高電圧で動作する機器（例えば、画像形成エンジン１１０の図示しない転写ローラ等の１０００Ｖ以上の電圧供給を必要とする機器）に高圧電圧を印加するものである。高圧電源１１９は、プリンタ制御部１０５の制御に基づいて動作するものとする。また、プリンタ１において、高圧電源１１９に係る消費電力を低減することができる構成を備えるようにしてもよいが、本発明の技術的特徴と直接関連しないため詳しい説明を省略する。
【００３４】
電源切替回路部１２４は、Ｐｏｗｅｒｓａｖｅ−Ｎ信号に応じて、ＰｃｈＦＥＴ１０６のドレーン端子から、サブ電源電圧Ｅ５ＶＳ又はメイン電源１１３のいずれかを供給源とする電源電圧ＥＣＰＵ５Ｖを出力し、ＤＣ／ＤＣコンバータ１２３に供給する。
【００３５】
ＤＣ／ＤＣコンバータ１２３は、電源電圧ＥＣＰＵ５Ｖを降圧（電圧変換）して、３つの電源電圧１．８Ｖ、１．５Ｖ、０．９Ｖを出力する。なお、図１では、図示の都合上、ＤＣ／ＤＣコンバータ１２３から出力される信号線は１本となっているが、実際には出力する各電圧ごとの信号線（端子）を用いて出力される。ＤＣ／ＤＣコンバータ１２３から出力される１．８Ｖ及び、０．９Ｂの電源電圧は、それぞれＣＰＵ１２１に供給される。ＤＣ／ＤＣコンバータ１０９により降圧（電圧変換）された１．８Ｖの電源電圧は、ＣＰＵ１２１において、信号授受等のための電源（ＩＯ電源）として用いられる。また、ＤＣ／ＤＣコンバータ１０９により降圧（電圧変換）された０．９Ｖの電源電圧は、ＣＰＵ１２１の演算処理等のための電源（コア電源）となる。
【００３６】
ＣＰＵ１２１には省電力制御部１０４から省電力モードからの復帰指示信号であるＷＡＫＥＩＮＴ−Ｐ信号が入力される。省電力制御部１０４は、ホストＰＣ２から、印刷データが供給された場合、ＣＰＵ１２１に、ＷＡＫＥＩＮＴ−Ｐ信号を受信するする。
【００３７】
ＣＰＵ１２１は、省電力動作モードで動作中に、ＷＡＫＥＩＮＴ−Ｐ信号の供給に基づく割込み処理により起動して、通常モードに復帰する処理を開始する。すなわち、上述の装置制御プログラムに基づいて動作するＣＰＵ１２１は、省電力動作モードであっても、完全に停止してしまうと、ＷＡＫＥＩＮＴ−Ｐ信号に基づく起動ができなくなってしまうので、最低限割込み信号を検知して通常モードに復帰するために必要な回路だけは動作させておく必要がある。
【００３８】
すなわち、プリンタ１では、省電力動作モードで動作中であっても、ホストＰＣ２からの印刷データを受信する必要があるため、全ての機能を停止することはできない。具体的には、プリンタ１では、省電力動作モードで動作中であっても、スリープ状態のＣＰＵ１２１、パワーオフ制御部１０３、及び省電力制御部１０４については電力供給を継続させる必要がある。また、ＲＡＭ１２２及びＲＡＭ１２５は揮発メモリ（ＤＲＡＭ）であるため、省電力動作モードで動作時であっても、電力供給が停止すると保持しているデータやプログラムが失われてしまい、通常動作モードに復帰する際にフラッシュメモリ１２０からのロード等の時間を必要とすることになる。そのため、プリンタ１では、省電力動作モードで動作時であっても、ＲＡＭ１２２及びＲＡＭ１２５に対して、セルフリフレッシュモード（ＣＰＵ１２１からの命令がなくても、定期的にＤＲＡＭのリフレッシュ処理を行う動作モード）で動作させるための電力供給が供給されるものとする。
【００３９】
次に、プリンタ１における電源容量について説明する。
【００４０】
この実施形態の例では、メイン電源１１３として５０Ｗの容量を備える電源が採用され、サブ電源１１１として１０Ｗの容量を備える電源が採用されているものとする。
【００４１】
プリンタ１が通常動作モードで動作する場合、メイン電源１１３は、ＣＰＵ１２１、ＲＡＭ１２２、ＲＡＭ１２５、プリンタ制御部１０５、画像形成エンジン１１０等に電力供給（電圧印加）し、２５Ｗ程度の電力を消費するものとする。また、プリンタ１が通常動作モードで動作する場合、サブ電源１１１は、パワーオフ制御部１０３及び省電力制御部１０４に電力供給（電圧印加）し、１Ｗ程度の電力を消費するものとする。さらに、プリンタ１が省電力動作モードで動作する場合、メイン電源１１３は、他の構成要素への電力供給を停止する。さらにまた、プリンタ１が省電力動作モードで動作する場合、サブ電源１１１は、ＣＰＵ１２１、ＲＡＭ１２２、ＲＡＭ１２５、パワーオフ制御部１０３及び省電力制御部１０４に電力供給（電圧印加）し、２Ｗ程度の電力を消費するものとする。
【００４２】
次に、電源切替回路部１２４の内部構成について、図２を用いて説明する。
【００４３】
電源切替回路部１２４は、デジタルトランジスタ（以下、「デジトラ」と呼ぶ）２０１、トランジスタ２０２、抵抗２０３、抵抗２０４、コンデンサ２０５、抵抗２０６、デジトラ２０７、デジトラ２０８、抵抗２０９、デジトラ２１０、抵抗２１１、ＰｃｈＦＥＴ２１２、抵抗２１３、コンデンサ２１４、抵抗２１５、ＰｃｈＦＥＴ２１６、抵抗２１７、コンデンサ２１８、及びダイオード２１９を有している。
【００４４】
デジトラ２０１のベース端子には、Ｐｏｗｅｒｓａｖｅ−Ｎ信号が入力される。デジトラ２０１のエミッタ端子はグラウンドレベルである０Ｖに接続されている。また、デジトラ２０１のコレクタ端子はトランジスタ２０２のエミッタ端子と抵抗２０３の一端に接続されている。
【００４５】
トランジスタ２０２のベース端子は抵抗２０３の一端に接続されている。また、トランジスタ２０２のベース端子には、抵抗２０４を介してメイン電源電圧Ｅ５Ｖ（サブ電源１１１）に接続されている。さらに、トランジスタ２０２のベース端子はコンデンサ２０５を介してグラウンド（０Ｖ）に接続されている。さらにまた、トランジスタ２０２のコレクタ端子には抵抗２０６を介してサブ電源電圧Ｅ５ＶＳ（ＰｃｈＦＥＴ１０６のドレーン端子）に接続されている。また、トランジスタ２０２のコレクタ端子には、デジトラ２０７のベース端子とデジトラ２０８のベース端子に接続されている。
【００４６】
デジトラ２０７のエミッタ端子はグラウンド（０Ｖ）に接続されている。また、デジトラ２０７のコレクタ端子は抵抗２０９を介してメイン電源電圧Ｅ５Ｖ（サブ電源１１１）に接続されている。また、デジトラ２０７のコレクタ端子は、デジトラ２１０のベース端子にも接続されている。
【００４７】
デジトラ２１０のコレクタ端子は、抵抗２１１を介してＰｃｈＦＥＴ２１２のゲート端子に接続されている。また、ＰｃｈＦＥＴ２１２のゲート−ソース間には抵抗２１３とコンデンサ２１４が並列に接続されている。さらに、ＰｃｈＦＥＴ２１２のドレイン端子にはメイン電源電圧Ｅ５Ｖ（サブ電源１１１）が接続されている。さらにまた、ＰｃｈＦＥＴ２１２のソース端子には電源切替回路部１２４の出力端子（ＣＰＵ１２１に供給される電源電圧ＥＣＰＵ５Ｖ）が接続されている。
【００４８】
デジトラ２０８のコレクタ端子は抵抗２１５を介してＰｃｈＦＥＴ２１６のゲート端子に接続されている。また、ＰｃｈＦＥＴ２１６のゲート−ソース間には抵抗２１７とコンデンサ２１８が並列に接続されている。さらに、ＰｃｈＦＥＴ２１６のソース端子にはサブ電源電圧Ｅ５ＶＳが接続されている。さらにまた、ＰｃｈＦＥＴ２１６のドレイン端子にはダイオード２１９のアノード端子が接続されている。また、ダイオード２１９のカソード端子には電源切替回路部１２４の出力端子（ＣＰＵ１２１に供給される電源電圧ＥＣＰＵ５Ｖ）が接続されている。
【００４９】
なお、以下では、デジトラ２０７のベース端子の部分を「接続点Ｐ１」と呼ぶものとする。
【００５０】
また、プリンタ１では、リレー回路１１２、パワーオフ制御部１０３、省電力制御部１０４、電源切替回路部１２４等により、電源電圧ＥＣＰＵ５Ｖの供給源の切替え制御を行う切替部が構成されている。
【００５１】
（Ａ−２）第１の実施形態の動作
次に、以上のような構成を有する第１の実施形態のプリンタ１の動作を説明する。
【００５２】
（Ａ−２−１）電源オフ状態から通常動作モードへ遷移するまでの動作
まず、プリンタ１が、電源オフ状で、電源プラグ１０１が外部交流電源に接続されて、電源投入（電源ＯＮ）され、通常動作モードへ移行するまでの動作について、図３のフローチャート、及び図４のタイミングチャートを用いて説明する。なお、プリンタ１の各構成要素が図３のフローチャートに従って動作すると、プリンタ１における各電圧・信号（サブ電源電圧Ｅ５ＶＳ０、ＳＵＢＰＷＲＯＮ−Ｎ信号、サブ電源電圧Ｅ５ＶＳ、Ｐｏｗｅｒｓａｖｅ−Ｎ信号、メイン電源電圧Ｅ５Ｖ、及び接続点Ｐ１、電源電圧ＥＣＰＵ５Ｖ）の遷移は図４のタイミングチャートのようになる。
【００５３】
まず、タイミングＴ１０１の時点で、ユーザが電源プラグ１０１を図示しない外部交流電源のコンセントに接続したものとする（Ｓ１０１）。
【００５４】
そして、電源プラグ１０１からサブ電源１１１へ交流電力の供給が開始すると、サブ電源１１１からサブ電源電圧Ｅ５ＶＳ０が出力（０Ｖから５Ｖに昇圧）される（Ｓ１０２）。これにより、ＳＵＢＰＷＲＯＮ−Ｎ信号も抵抗１１６によってプルアップされる。
【００５５】
その後、タイミングＴ１０２の時点で、ユーザにより電源スイッチ１０７が押下（ＯＦＦ状態からＯＮ状態に切替え）されたものとする（Ｓ１０３）。これにより、ＰＷＲＳＷＯＮ−Ｎ信号がＬｏｗレベルに立ち下がる。
【００５６】
ＰＷＲＳＷＯＮ−Ｎ信号がＬｏｗレベルとなると、パワーオフ制御部１０３は、ＳＵＢＰＷＲＯＮ−Ｎ信号としてＬｏｗレベルを出力する。ＳＵＢＰＷＲＯＮ−ＮがＬｏｗレベルとなると、ＰｃｈＦＥＴ１０６がＯＮ状態に遷移し、サブ電源電圧Ｅ５ＶＳが立ち上がる（０Ｖから５Ｖに昇圧）。このとき接続点Ｐ１の電圧はＨｉｇｈレベル（サブ電源電圧Ｅ５ＶＳ＝５Ｖ）になっているため、ＦＥＴ２１２がＯＦＦ状態となり、ＦＥＴ２１６がＯＮ状態となる。これにより、電源切替回路部１２４は、電源電圧ＥＣＰＵ５Ｖの供給源が、サブ電源電圧Ｅ５ＶＳ側の電圧となるようにスイッチングする。また、これにより、ＣＰＵ１２１の電源がサブ電源電圧Ｅ５ＶＳとなる（Ｓ１０４）。なお、このとき、ＦＥＴ２１２の寄生ダイオード２１２ａによってサブ電源１１１側（サブ電源電圧Ｅ５ＶＳ）からメイン電源１１３側（メイン電源電圧Ｅ５Ｖ）への逆電流は阻止されることになる。
【００５７】
図４のタイミングチャートでは、サブ電源電圧Ｅ５ＶＳを供給源とする電源電圧ＥＣＰＵ５Ｖが、タイミングＴ１０２の時点で０Ｖから立ち上がり始め、タイミングＴ１０２−１の時点で５Ｖに到達している。そして、タイミングＴ１０２−１の後のタイミングＴ１０３の時点で、省電力制御部１０４（ＡＤＣ１１７）において、サブ電源電圧Ｅ５ＶＳの立ち上がったこと（０Ｖから５Ｖに到達したこと）が検知される。サブ電源電圧Ｅ５ＶＳの立ち上がりを検知すると、省電力制御部１０４（ＡＤＣ１１７）は、Ｐｏｗｅｒｓａｖｅ−Ｎ信号としてＨｉｇｈレベルを出力する（Ｓ１０５）。
【００５８】
タイミングＴ１０３で、Ｐｏｗｅｒｓａｖｅ−Ｎ信号がＨｉｇｈレベルとなるとリレー回路１１２がＯＮ状態となり、メイン電源１１３に電源プラグ１０１からの交流電源電圧が供給され、メイン電源１１が起動する。そして、タイミングＴ１０４の時点で、メイン電源１１３から出力されるメイン電源電圧Ｅ５Ｖの立ち上がりが開始（０Ｖから昇圧開始）し、タイミングＴ１０５の時点で、トランジスタ２０２のベース電流が導通開始したものとする。
【００５９】
そして、その後、抵抗２０４、コンデンサ２０５で構成される時定数の遅延ｄ１をもって、タイミングＴ１０６の時点でトランジスタ２０２がＯＮ状態となり、接続点Ｐ１の電圧が立ち下がり０Ｖ（グラウンドレベル）となる。さらに、ＦＥＴ２１２がＯＮ状態となり、ＦＥＴ２１６がＯＦＦ状態となる。これにより、電源切替回路部１２４では、電源電圧ＥＣＰＵ５Ｖの供給源が、メイン電源電圧Ｅ５Ｖの電圧となるように切替わる。このとき、ダイオード２１９の導通がなくなり、ダイオード２１９の順方向電圧の分ＥＣＰＵ５Ｖの電圧が増加することになる。また、ダイオード２１９によってメイン電源１１３（メイン電源電圧Ｅ５Ｖ）から、サブ電源１１１側（サブ電源電圧Ｅ５ＶＳ）への逆電流は阻止されることになる。
【００６０】
以上のように、ＣＰＵ１２１には、メイン電源電圧Ｅ５Ｖが供給され（Ｓ１０６）、起動することになる（Ｓ１０７）。ＣＰＵ１２１が起動するタイミングについては限定されないものであるが、例えば、パワーオフ制御部１０３がＰｏｗｅｒｓａｖｅ−Ｎ信号をＨｉｇｈレベルに立ち上げた後所定期間後（例えば、タイミングＴ１０３からＴ１０６までの期間以上の期間を予め設定するようにしてもよい）に、割り込み信号（例えば、割り込みリセット信号）の供給等により通常動作モードで起動するようにしてもよい。ＣＰＵ１２１は起動すると、フラッシュメモリ１２０から各プログラム及びデータを読み込んでＲＡＭ１２２に展開する。また、プリンタ制御部１０５の制御も開始する。
【００６１】
（Ａ−２−２）通常動作モードから省電力動作モードに遷移するまでの動作
次に、プリンタ１が通常動作モードで動作しているときに、省電力動作モードに遷移するまでの動作について、図５のフローチャート、及び図６のタイミングチャートを用いて説明する。プリンタ１の各構成要素が図５のフローチャートに従って動作すると、プリンタ１における各電圧・信号（サブ電源電圧Ｅ５ＶＳ０、ＳＵＢＰＷＲＯＮ−Ｎ信号、サブ電源電圧Ｅ５ＶＳ、Ｐｏｗｅｒｓａｖｅ−Ｎ信号、メイン電源電圧Ｅ５Ｖ、接続点Ｐ１、及び電源電圧ＥＣＰＵ５Ｖ）の遷移は図６のタイミングチャートのようになる。
【００６２】
まず、タイミングＴ２０１の時点で、ＣＰＵ１２１（装置制御プログラム）で、省電力動作モードに移行するイベントが発生し、省電力動作モードに移行する準備処理を行ったものとする（Ｓ２０１）。ＣＰＵ１２１で、省電力動作モードに移行するイベントについては限定されないものであるが、例えば、一定期間以上継続して印刷データが供給されない場合等が挙げられる。
【００６３】
また、ＣＰＵ１２１は省電力動作モードに移行する準備処理として、プリンタ制御部１０５にアクセスして、画像形成エンジン１１０にエラー（例えば、トナー等の消耗品切れ等）がないこと等を確認する。なお、画像形成エンジン１１０にエラーに係るエラーが検知された場合、ＣＰＵ１２１は省電力動作モードに移行するイベントを中止することが望ましい。画像形成エンジン１１０にエラーが発生している場合、省電力動作モードに移行して消費電力を節約するよりも、ユーザにエラー通知すること等を継続する方が、ユーザの利便性に寄与するからである。また、このとき、ＣＰＵ１２１はＲＡＭ１２２、及びＲＡＭ１２５に対して、データ保持のためにセルフリフレッシュモードで動作するように制御する。
【００６４】
また、ＣＰＵ１２１は省電力動作モードに移行する準備処理として、スリープモードに移行する処理を行う。具体的には、ＣＰＵ１２１は、ＲＡＭ１２２のデータ保持を継続させるために、ＲＡＭ１２２をセルフリフレッシュモードで動作するように制御する。また、ＣＰＵ１２１は、クロック回路１２１ｃの動作を停止させ、さらに、割り込み信号（ＷＡＫＥＩＮＴ−Ｐ信号等）を受付けて復帰する機能に対応する回路以外の電源供給を遮断するように制御する。したがって、ＣＰＵ１２１は、スリープ状態では、省電力制御部１０４からの復帰信号ＷＡＫＥＩＮＴ−Ｐの入力割り込み待ち状態となる。
【００６５】
ＣＰＵ１２１は省電力動作モードに移行する準備処理が完了すると、プリンタ制御部１０５に準備完了を示す信号を送信し（Ｓ２０２）、スリープ状態に遷移する（Ｓ２０３）。
【００６６】
ＣＰＵ１２１から省電力動作モードに移行する準備処理が完了した旨の信号が通知されると、その信号を受けたプリンタ制御部１０５は、プリンタ制御部１０５への電源供給を遮断するための移行準備（例えば、ＲＡＭ１２５へのデータ退避等）を行う（Ｓ２０４）。
【００６７】
その後、タイミングＴ２０２の時点で、プリンタ制御部１０５の準備処理が完了したものとする。そして、プリンタ制御部１０５は、省電力制御部１０４へ準備完了を示す信号を送信する。その信号を受けた省電力制御部１０４は、Ｐｏｗｅｒｓａｖｅ−Ｎ信号としてＬｏｗレベルを出力し、電源切替部１２４及びリレー回路１１２に供給し、メイン電源１１３をオフ状態に制御する（Ｓ２０５）。
【００６８】
そして、ＬｏｗレベルのＰｏｗｅｒｓａｖｅ−Ｎが供給されると、電源切替部１２４は、電源電圧ＥＣＰＵ５Ｖの供給源を、メイン電源電圧Ｅ５Ｖからサブ電源電圧Ｅ５ＶＳに切替える（Ｓ２０６）。図６では、電源切替部１２４の切替タイミングをタイミングＴ２０２の後のタイミングＴ２０２−１と図示している。
【００６９】
ここで、ＣＰＵ１２１が省電力動作モードへの移行準備完了信号をプリンタ制御部１０５へ送付してから、ＣＰＵ１２１がスリープ状態に移行する処理が完了するまでの時間は、ＣＰＵ１２１からの信号をプリンタ制御部１０５が受信してから省電力制御部１０４がＰｏｗｅｒｓａｖｅ−Ｎ信号を電源切替部１２４とリレー回路１１２に送付するまでの時間よりも短くなるよう設定する必要がある。すなわち、ＣＰＵ１２１のスリープ状態への遷移完了は、ステップＳ２０５の処理タイミングよりも前である必要がある。
【００７０】
また、上述の通り、電源切替部１２４が、電源電圧ＥＣＰＵ５Ｖの供給源を、メイン電源１１３（メイン電源電圧Ｅ５Ｖ）からサブ電源１１１（サブ電源電圧Ｅ５ＶＳ）に切替えるタイミングと、電源プラグ１０１からメイン電源１１３への交流電圧の供給がリレー回路１１２によって遮断されるタイミングとは、ほぼ同時のタイミングに行われる。そのため、リレー回路１１２による遮断の後、メイン電源１１３の出力電圧（メイン電源電圧Ｅ５Ｖ出力電圧）が垂下するまでの時間が、電源切替部１２４の切替時間よりも長くなるように、電源切替部１２４等を調整する必要がある。具体的には、リレー回路１１２による遮断の後、メイン電源１１３の出力電圧（メイン電源電圧Ｅ５Ｖ出力電圧）が垂下するまでの期間は、コンデンサ１１３ｂ、コンデンサ２１４及び抵抗２１１により構成される蓄電部の定数（電気的特性）により定まる遅延期間ｄ２となる。また、ＰｃｈＦＥＴ２１６がオン状態となった後、ＰｃｈＦＥＴ２１６のゲート端子の電位の立ち下がり期間（サブ電源電圧Ｅ５ＶＳを供給源として５Ｖまで電圧が上昇するまでの期間）は、コンデンサ２１８及び抵抗２１５の定数（電気的特性）により定まる遅延期間ｄ３となる。したがって、ｄ２＞ｄ３となるように、回路内（電源切替部１２４及びメイン電源１１３内）の各構成要素のインピーダンスを設定する必要がある。これにより、ＣＰＵ１２１に供給される電源電圧ＥＣＰＵ５Ｖの電圧が遮断したり、所定電圧未満（ＣＰＵ１２１が駆動可能な電圧の下限未満）に低下することなく、電源供給源をメイン電源１１３からサブ電源１１１へと切り替えることができる。
【００７１】
そしてその後のタイミングＴ２０３の時点からメイン電源電圧Ｅ５Ｖは立下りを開始することになる。なおこのとき、オフ状態のＦＥＴ２１２の寄生ダイオード２１２ａによってサブ電源電圧Ｅ５ＶＳからメイン電源電圧Ｅ５Ｖへの逆電流は阻止される。
【００７２】
以上によってプリンタは省電力動作モードで動作する状態となり、低消費電力な状態となる。このとき、ＣＰＵ１２１は低消費電力な状態にあり、なおかつＣＰＵ１２１への電源は電源切替回路部１２４の動作によってサブ電源電圧Ｅ５ＶＳを供給源とするように動作しており、低容量高効率なサブ電源により電源供給されている。
【００７３】
（Ａ−２−３）省電力動作モードから通常動作モードに遷移するまでの動作
次に、プリンタ１が省電力動作モードで動作している状態から、通常動作モードに遷移（復帰）するまでの動作について、図７のフローチャート、及び図８のタイミングチャートを用いて説明する。プリンタ１の各構成要素が図７のフローチャートに従って動作すると、プリンタ１における各電圧・信号（サブ電源電圧Ｅ５ＶＳ０、ＳＵＢＰＷＲＯＮ−Ｎ信号、サブ電源電圧Ｅ５ＶＳ、Ｐｏｗｅｒｓａｖｅ−Ｎ信号、メイン電源電圧Ｅ５Ｖ、接続点Ｐ１、及び電源電圧ＥＣＰＵ５Ｖ）の遷移は図８のタイミングチャートのようになる。
【００７４】
まず。プリンタ１が省電力動作モードで動作しているときに、通常動作モードへの遷移を開始するイベントが発生したものとする（Ｓ３０１）。ここでは、ホストＰＣ２から省電力制御部１０４に印刷データの供給があった場合、通常動作モードへの復帰イベントが発生するものとして説明する。
【００７５】
そして、印刷データの供給を受けると省電力制御部１０４は、Ｐｏｗｅｒｓａｖｅ−Ｎ信号をＨｉｇｈレベルに制御する。図８では、タイミングＴ３０１の時点で、Ｐｏｗｅｒｓａｖｅ−Ｎ信号がＨｉｇｈレベルに遷移している。
【００７６】
タイミングＴ３０１で、Ｐｏｗｅｒｓａｖｅ−Ｎ信号がＨｉｇｈレベルとなるとリレー回路１１２がＯＮ状態となり、メイン電源１１３に電源プラグ１０１からの交流電源電圧が供給され、メイン電源１１が起動する。そして、タイミングＴ３０２の時点で、メイン電源１１３から出力されるメイン電源電圧Ｅ５Ｖの立ち上がりが開始（０Ｖから昇圧開始）し、タイミングＴ３０３の時点で、トランジスタ２０２のベース電流が導通開始したものとする。
【００７７】
そして、その後、抵抗２０４、コンデンサ２０５で構成される時定数の遅延ｄ１をもって、タイミングＴ３０３の時点でトランジスタ２０２がＯＮ状態となり、接続点Ｐ１の電圧が立ち下がり０Ｖ（グラウンドレベル）となる。さらに、ＦＥＴ２１２がＯＮ状態となり、ＦＥＴ２１６がＯＦＦ状態となる。これにより、電源切替回路部１２４では、電源電圧ＥＣＰＵ５Ｖの供給源が、サブ電源１１１（サブ電源電圧Ｅ５ＶＳ）から、メイン電源１１３（メイン電源電圧Ｅ５Ｖ）に切り替わることになる（Ｓ３０２）。このとき、ダイオード２１９の導通がなくなり、ダイオード２１９の順方向電圧の分ＥＣＰＵ５Ｖの電圧が増加することになる。また、ダイオード２１９によってメイン電源１１３（メイン電源電圧Ｅ５Ｖ）から、サブ電源１１１側（サブ電源電圧Ｅ５ＶＳ）への逆電流は阻止されることになる。
【００７８】
そして、タイミングＴ３０４以後のタイミングで、省電力制御部１０４は、ＣＰＵ１２１への復帰信号ＷＡＫＥＩＮＴ−Ｐ信号（割り込み信号）を制御することでＣＰＵ１２１をスリープ状態から稼動状態への復帰をさせる（Ｓ３０３）。これにより、ＣＰＵ１２１、プリンタ制御部１０５はＲＡＭ１２２、ＲＡＭ１２５に保持したプログラム、設定に応じて稼動状態へ復帰して、印刷動作を開始する。このとき、ＣＰＵ１２１は稼動状態にあり、なおかつＣＰＵ１２１への電源電圧ＥＣＰＵ５Ｖは電源切替回路部１２４の動作によってメイン電源電圧Ｅ５Ｖを供給源としており、大容量なメイン電源１１３により電源供給されている状態となる。
【００７９】
（Ａ−２−４）通常動作モードから電源オフ状態に遷移するまでの動作
次に、プリンタ１が通常動作モードで動作している状態から、電源オフ状態に遷移するまでの動作について、図９のフローチャートを用いて説明する。
【００８０】
まず、プリンタ１が通常動作モードで動作している状態で、ユーザにより電源スイッチ１０７が押下されてＯＦＦ状態となったものとする。そして、電源スイッチ１０７が押下されＯＦＦ状態となると、パワーオフ制御部１０３は省電力制御部１０４へＯＦＦＭＯＤＥ−Ｐ信号を送信する（Ｓ４０１）。
【００８１】
省電力制御部１０４がＯＦＦＭＯＤＥ−Ｐ信号を受信すると、プリンタ制御部１０５にＯＦＦＭＯＤＥ−Ｐ信号を受信したことを示す信号をプリンタ制御部１０５に送付する。その後、プリンタ制御部１０５は、ＣＰＵ１２１へ電源のＯＦＦ（スリープ状態を経由した電源ＯＦＦ）の準備をするための信号を送信する。ＣＰＵ１２１は、稼動状態にあるとき、プリンタ制御部１０５からの信号を受信するとスリープ状態への移行準備を開始する（Ｓ４０２）。このとき、ＣＰＵ１２１がスリープ状態へ移行する際に準備処理は、上述の図５の場合（通常動作モードから省電力動作モードに移行する場合）とほぼ同様である。ただし、このとき、ＣＰＵ１２１は、画像形成エンジン１１０にエラーが発生していても無視してスリープ状態への移行を準備するようにしてもよい。
【００８２】
次に、ＣＰＵ１２１は、電源オフ状態への移行準備（スリープ状態への移行準備）を完了する際に、プリンタ制御部１０５に準備完了を示す信号を送付してスリープ状態に移行する。その信号を受けたプリンタ制御部１０５は、電源供給を遮断するための移行準備を行う（Ｓ４０３）。
【００８３】
プリンタ制御部１０５は、電源オフ状態への移行準備が完了すると、省電力制御部１０４へ準備完了を示す信号を送信する。その信号を受けた省電力制御部１０４は、ＡＵＴＯＯＦＦ＿ＯＫ−Ｐ信号をパワーオフ制御部１０３に送信する。また、このとき、省電力制御部１０４は、電源電圧ＥＣＰＵ５Ｖの供給源をメイン電源電圧Ｅ５Ｖからサブ電源電圧Ｅ５ＶＳに切替える処理（上述の図５の場合（通常動作モードから省電力動作モードに移行する場合）と同様の処理）を行う（Ｓ４０４）。これにより、プリンタ１Ａは、一旦実質的に省電力動作モードで動作することになる。
【００８４】
そして、省電力制御部１０４は、Ｐｏｗｅｒｓａｖｅ−Ｎ信号を電源切替部１２４とリレー回路１１２に送付する。そして、パワーオフ制御部１０３は、ＡＵＴＯＯＦＦ＿ＯＫ−Ｐ信号を受信すると、ＰｃｈＦＥＴ１０６を制御してサブ電源１１１から省電力制御部１０４への電源供給を遮断する（Ｓ４０５）。
【００８５】
以上のように、プリンタ１では、通常動作モードから電源オフ状態に移行する。上述の例では、プリンタ１は、通常動作モードから電源オフ状態に移行する際に、省電力動作モードで動作（ＣＰＵ１２１をスリープ状態として動作）するよう制御し、その後電源オフの状態としている。
【００８６】
（Ａ−３）第１の実施形態の効果
第１の実施形態によれば、以下のような効果を奏することができる。
【００８７】
プリンタ１では、ＣＰＵ１２１等への電源電圧ＥＣＰＵ５Ｖの電源供給源をメイン電源電圧５Ｖ、又はサブ電源電圧Ｅ５ＶＳのいずれかに切替える切替回路部１２４を備えている。また、プリンタ１では、通常動作モードから省電力動作モードに切替える際に、ＣＰＵ１２１をスリープ状態に制御したのち、メイン電源電圧Ｅ５Ｖからの供給を停止するときに、電源電圧ＥＣＰＵ５Ｖの供給源をサブ電源電圧Ｅ５ＶＳに切り替えている。これにより、プリンタ１では、通常動作モードでは大きな容量のメイン電源電圧５Ｖを電源電圧ＥＣＰＵ５Ｖの供給源とし、省電力動作モードでは、小容量での高効率なサブ電源電圧Ｅ５ＶＳを電源電圧ＥＣＰＵ５Ｖの供給源とすることにより、電源効率を向上させることができる。
【００８８】
（Ｂ）第２の実施形態
以下、本発明による電子機器及び画像形成装置の第２の実施形態を、図面を参照しながら詳述する。以下では、本発明の電子機器及び画像形成装置をプリンタに適用した場合の例について説明する。
【００８９】
（Ｂ−１）第２の実施形態の構成
図１０は、この実施形態のプリンタ１Ａの全体構成を示すブロック図である。
【００９０】
第２の実施形態のプリンタ１Ａでは、パワーオフ制御部１０３及び電源切替回路部１２４が、及び電源切替回路部１２４Ａに置き換わっている点で異なっている。
【００９１】
図１１は、電源切替回路部１２４Ａの内部構成について示した回路図である。
【００９２】
第１の実施例の構成では、通常動作モードか省電力動作モードへ移行、または、省電力動作モードから通常動作モードへの移行時に、切替回路部１２４の切替え制御をトランジスタ回路で構成し、回路定数でもって各電源円圧の立ち上がり・立下りの速度（タイミング）を設定しており、プリンタ１Ａ内必要となる負荷容量に応じて回路定数を変更する必要が有る課題がある。
【００９３】
例えば、第１の実施形態の電源切替回路部１２４では、抵抗２０４、コンデンサ２０５で構成される時定数の遅延ｄ１により、トランジスタ２０２のベース電流が導通開始してから、トランジスタ２０２がＯＮ状態となり、接続点Ｐ１の電圧が立ち下がり０Ｖ（グラウンドレベル）とするまでの期間を設定している。しかしながら、実際には、各回路素子の個体差や、プリンタ１の利用環境等の影響により、遅延ｄ１を精密に制御することができないおそれもある。そこで、第２の実施形態の電源切替回路部１２４Ａでは、接続点Ｐ１の前段の回路素子（デジトラ２０１、トランジスタ２０２、抵抗２０３、抵抗２０４、コンデンサ２０５、抵抗２０６）を省き、パワーオフ制御部１０３から、直接接続点Ｐ１の電位を制御するためのＰｏｗｅｒｓａｖｅ２−Ｐ信号が入力される構成となっている。具体的には、パワーオフ制御部１０３から出力されたＰｏｗｅｒｓａｖｅ２−Ｐ信号が、デジトラ２０７のベース端子とデジトラ２０８のベース端子に接続される構成となっている。
【００９４】
したがって、プリンタ１Ａでは、メイン電源電圧Ｅ５Ｖの立ち上がりを検出する、電圧検知手段、及び、電源切替回路部１２４Ａの切替えタイミングを制御する切替制御手段が、パワーオフ制御部１０３（マイクロコンピュータ）により構成されている。
【００９５】
また、第２の実施形態の電源切替回路部１２４Ａでは、デジトラ２０１を用いないため、ＰＷＲＳＷＯＮ−Ｎ信号も入力されない構成となる。
【００９６】
（Ｂ−２）第２の実施形態の動作
次に、以上のような構成を有する第２の実施形態のプリンタ１Ａの動作について、第１の実施形態との差異を説明する。以下では、第２の実施形態の動作について第１の実施形態との差異を説明する。
【００９７】
（Ｂ−２−１）電源オフ状態から通常動作モードへ遷移するまでの動作
まず、プリンタ１Ａにおいて電源プラグ１０１が外部交流電源に接続されて、電源投入（電源ＯＮ）され、通常動作モードへ遷移するまでの動作について、図１２のフローチャートと、図１３のタイミングチャートを用いて説明する。プリンタ１Ａの各構成要素が図１２のフローチャートに従って動作すると、プリンタ１Ａにおける各電圧・信号（サブ電源電圧Ｅ５ＶＳ０、ＳＵＢＰＷＲＯＮ−Ｎ信号、サブ電源電圧Ｅ５ＶＳ、Ｐｏｗｅｒｓａｖｅ−Ｎ信号、メイン電源電圧Ｅ５Ｖ、Ｐｏｗｅｒｓａｖｅ２−Ｐ信号（接続点Ｐ１）、電源電圧ＥＣＰＵ５Ｖ）の遷移は図１３のタイミングチャートのようになる。
【００９８】
まず、タイミングＴ４０１の時点で、ユーザが電源プラグ１０１を図示しない外部交流電源のコンセントに接続したものとする（Ｓ５０１）。
【００９９】
そして、電源プラグ１０１からサブ電源１１１へ交流電力の供給が開始すると、サブ電源１１１からサブ電源電圧Ｅ５ＶＳ０が出力（０Ｖから５Ｖに昇圧）される（Ｓ５０２）。これにより、ＳＵＢＰＷＲＯＮ−Ｎ信号も抵抗１１６によってプルアップされる。また、パワーオフ制御部１０３へのＰｏｗｅｒｓａｖｅ−Ｎ信号がＬｏｗレベルであるため、Ｐｏｗｅｒｓａｖｅ２−Ｐ信号（接続点Ｐ１の電圧）はＨｉｇｈレベルで出力されることになる。
【０１００】
その後、タイミングＴ４０２の時点で、ユーザにより電源スイッチ１０７が押下（ＯＦＦ状態からＯＮ状態に切替え）されたものとする（Ｓ５０３）。これにより、ＰＷＲＳＷＯＮ−Ｎ信号がＬｏｗレベルに立ち下がる。
【０１０１】
ＰＷＲＳＷＯＮ−Ｎ信号がＬｏｗレベルとなると、パワーオフ制御部１０３は、ＳＵＢＰＷＲＯＮ−Ｎ信号としてＬｏｗレベルを出力する。ＳＵＢＰＷＲＯＮ−ＮがＬｏｗレベルとなると、ＰｃｈＦＥＴ１０６がＯＮ状態に遷移し、サブ電源電圧Ｅ５ＶＳが立ち上がる（０Ｖから５Ｖに昇圧）。このとき接続点Ｐ１の電圧はＨｉｇｈレベル（サブ電源電圧Ｅ５ＶＳ＝５Ｖ）になっているため、ＦＥＴ２１２がＯＦＦ状態となり、ＦＥＴ２１６がＯＮ状態となる。これにより、電源切替回路部１２４は、電源電圧ＥＣＰＵ５Ｖの供給源が、サブ電源電圧Ｅ５ＶＳ側の電圧となるようにスイッチングする。これにより、ＣＰＵ１２１の電源がサブ電源電圧Ｅ５ＶＳとなる（Ｓ５０４）。
【０１０２】
図１３のタイミングチャートでは、電源電圧ＥＣＰＵ５Ｖ（＝サブ電源電圧Ｅ５ＶＳ）が、タイミングＴ４０２の時点で０Ｖから立ち上がり始め、タイミングＴ４０２−１の時点で５Ｖに到達している。そして、タイミングＴ４０２−１の後のタイミングＴ４０３の時点で、パワーオフ制御部１０３（ＡＤＣ１１７）において、サブ電源電圧Ｅ５ＶＳの立ち上がったこと（０Ｖから５Ｖに到達したこと）が検知される。サブ電源電圧Ｅ５ＶＳの立ち上がりを検知すると、省電力制御部１０４（ＡＤＣ１１７）は、Ｐｏｗｅｒｓａｖｅ−Ｎ信号としてＨｉｇｈレベルを出力する（Ｓ５０５）。
【０１０３】
タイミングＴ４０３で、Ｐｏｗｅｒｓａｖｅ−Ｎ信号がＨｉｇｈレベルとなるとリレー回路１１２がＯＮ状態となり、メイン電源１１３に電源プラグ１０１からの交流電源電圧が供給され、メイン電源１１が起動する。そして、タイミングＴ４０４の時点で、メイン電源１１３から出力されるメイン電源電圧Ｅ５Ｖの立ち上がりが開始（０Ｖから昇圧開始）する。そして、その後、タイミングＴ４０５の時点で、パワーオフ制御部１０３はＰｏｗｅｒｓａｖｅ−Ｎ信号がＨｉｇｈで、かつメイン電源電圧Ｅ５Ｖの立上がり（５Ｖに到達したこと）を検出したことによってＰｏｗｅｒｓａｖｅ２−Ｐ信号をＬｏｗ出力に遷移させる。これにより、ＦＥＴ２１２がＯＮ状態、ＦＥＴ２１６がＯＦＦ状態となる。これにより、電源電圧ＥＣＰＵ５Ｖの供給源がメイン電源電圧Ｅ５Ｖに切り替わる。
【０１０４】
以上のように、ＣＰＵ１２１には、メイン電源電圧Ｅ５Ｖを電源とする電圧が供給され（Ｓ５０６）、起動することになる（Ｓ５０７）。
【０１０５】
（Ｂ−２−２）通常動作モードから省電力動作モードに遷移するまでの動作
次に、プリンタ１Ａが通常動作モードで動作しているときに、省電力動作モードに遷移するまでの動作について、図１４のフローチャート、及び図１５のタイミングチャートを用いて説明する。プリンタ１Ａの各構成要素が図１４のフローチャートに従って動作すると、プリンタ１Ａにおける各電圧・信号（サブ電源電圧Ｅ５ＶＳ０、ＳＵＢＰＷＲＯＮ−Ｎ信号、サブ電源電圧Ｅ５ＶＳ、Ｐｏｗｅｒｓａｖｅ−Ｎ信号、メイン電源電圧Ｅ５Ｖ、Ｐｏｗｅｒｓａｖｅ２−Ｐ信号（接続点Ｐ１）、及び電源電圧ＥＣＰＵ５Ｖ）の遷移は図１５のタイミングチャートのようになる。
【０１０６】
まず、タイミングＴ５０１の時点で、ＣＰＵ１２１（装置制御プログラム）で、省電力動作モードに移行するイベントが発生し、省電力動作モードに移行する準備処理を行ったものとする（Ｓ６０１）。
【０１０７】
そして、ＣＰＵ１２１は省電力動作モードに移行する準備処理が完了すると、プリンタ制御部１０５に準備完了を示す信号を送信し（Ｓ６０２）、スリープ状態に遷移する（Ｓ６０３）。
【０１０８】
ＣＰＵ１２１から省電力動作モードに移行する準備処理が完了した旨の信号が通知されると、その信号を受けたプリンタ制御部１０５は、プリンタ制御部１０５への電源供給を遮断するための移行準備（例えば、ＲＡＭ１２５へのデータ退避等）を行う（Ｓ６０４）。
【０１０９】
その後、タイミングＴ２０２の時点で、プリンタ制御部１０５の準備処理が完了したものとする。そして、プリンタ制御部１０５は、省電力制御部１０４へ準備完了を示す信号を送信する。その信号を受けた省電力制御部１０４は、Ｐｏｗｅｒｓａｖｅ−Ｎ信号としてＬｏｗレベルを出力し、電源切替部１２４Ａ及びリレー回路１１２に供給し、メイン電源１１３をオフ状態に制御する（Ｓ６０５）。
【０１１０】
そして、パワーオフ制御部１０３は、Ｐｏｗｅｒｓａｖｅ−Ｎ信号のＬｏｗレベルを検出したことにより、Ｐｏｗｅｒｓａｖｅ２−Ｐ信号をＬｏｗレベルとして出力する。これにより、電源切替部１２４Ａでは、ＦＥＴ２１２がＯＦＦ状態、ＦＥＴ２１６がＯＮ状態となり、電源電圧ＥＣＰＵ５Ｖの供給源が、メイン電源電圧Ｅ５Ｖからサブ電源電圧Ｅ５ＶＳに切替わる（Ｓ６０６）。図１５では、電源切替部１２４Ａの切替タイミングをタイミングＴ５０２の後のタイミングＴ５０２−１と図示している。
【０１１１】
なお、第１の実施形態と同様に、ＣＰＵ１２１が省電力動作モードへの移行準備完了信号をプリンタ制御部１０５へ送付してから、ＣＰＵ１２１がスリープ状態に移行する処理が完了するまでの時間は、ＣＰＵ１２１からの信号をプリンタ制御部１０５が受信してから省電力制御部１０４がＰｏｗｅｒｓａｖｅ−Ｎ信号を電源切替部１２４Ａとリレー回路１１２に送付するまでの時間よりも短くなるよう設定する必要がある。また、第２の実施形態では、上述の第１の実施形態と同様にリレー回路１１２による遮断の後、メイン電源１１３の出力電圧（メイン電源電圧Ｅ５Ｖ出力電圧）が垂下するまでの時間が、電源切替部１２４Ａの切替時間よりも長くなるように、電源切替部１２４Ａ等が調整されている。
【０１１２】
以上によってプリンタ１Ａは省電力動作モードで動作する状態となり、低消費電力な状態となる。
【０１１３】
（Ｂ−２−３）省電力動作モードから通常動作モードに遷移するまでの動作
次に、プリンタ１Ａが省電力動作モードで動作している状態から、通常動作モードに遷移（復帰）するまでの動作について、図１６のフローチャート、及び図１７のタイミングチャートを用いて説明する。プリンタ１Ａの各構成要素が図１６のフローチャートに従って動作すると、プリンタ１Ａにおける各電圧・信号（サブ電源電圧Ｅ５ＶＳ０、ＳＵＢＰＷＲＯＮ−Ｎ信号、サブ電源電圧Ｅ５ＶＳ、Ｐｏｗｅｒｓａｖｅ−Ｎ信号、メイン電源電圧Ｅ５Ｖ、Ｐｏｗｅｒｓａｖｅ２−Ｐ信号（接続点Ｐ１）、及び電源電圧ＥＣＰＵ５Ｖ）の遷移は図１７のタイミングチャートのようになる。
【０１１４】
まず。プリンタ１Ａが省電力動作モードで動作しているときに、通常動作モードへの遷移を開始するイベントが発生したものとする（Ｓ７０１）。ここでは、第１の実施形態と同様にホストＰＣ２から省電力制御部１０４に印刷データの供給があった場合、通常動作モードへの復帰イベントが発生するものとして説明する。
【０１１５】
そして、印刷データの供給を受けると省電力制御部１０４は、Ｐｏｗｅｒｓａｖｅ−Ｎ信号をＨｉｇｈレベルに制御する。図１６では、タイミングＴ６０１の時点で、Ｐｏｗｅｒｓａｖｅ−Ｎ信号がＨｉｇｈレベルに遷移している。
【０１１６】
タイミングＴ６０１で、Ｐｏｗｅｒｓａｖｅ−Ｎ信号がＨｉｇｈレベルとなるとリレー回路１１２がＯＮ状態となり、メイン電源１１３に電源プラグ１０１からの交流電源電圧が供給され、メイン電源１１が起動する。そして、タイミングＴ６０２の時点で、メイン電源１１３から出力されるメイン電源電圧Ｅ５Ｖの立ち上がりが開始（０Ｖから昇圧開始）する。
【０１１７】
図１７のタイミングチャートでは、電源電圧ＥＣＰＵ５Ｖ（＝サブ電源電圧Ｅ５ＶＳ）が、タイミングＴ６０２の時点で０Ｖから立ち上がり始め、タイミングＴ６０２−１の時点で５Ｖに到達している。そして、タイミングＴ６０２−１の後のタイミングＴ６０３の時点で、パワーオフ制御部１０３（ＡＤＣ１１７）において、Ｐｏｗｅｒｓａｖｅ−Ｎ信号がＨｉｇｈレベルで、かつ、メイン電源電圧Ｅ５Ｖの立上がりが検出されたものとする。この場合、パワーオフ制御部１０３は、Ｐｏｗｅｒｓａｖｅ２−Ｐ信号としてＬｏｗレベルを出力にする。これにより、ＦＥＴ２１２がＯＮ状態、ＦＥＴ２１６がＯＦＦ状態となり、電源電圧ＥＣＰＵ５Ｖの供給源がメイン電源電圧Ｅ５Ｖに切り替わることになる（Ｓ７０２）。このとき、ダイオード２１９の導通がなくなり、ダイオード２１９の順方向電圧の分電源電圧ＥＣＰＵ５Ｖの電圧が増える。また、このとき、ダイオード２１９によってメイン電源電圧Ｅ５Ｖからサブ電源電圧Ｅ５ＶＳへの逆流は阻止される。
【０１１８】
そして、タイミングＴ６０３以後のタイミングで、省電力制御部１０４は、ＣＰＵ１２１への復帰信号ＷＡＫＥＩＮＴ−Ｐ信号（割り込み信号）を制御することでＣＰＵ１２１をスリープ状態から稼動状態への復帰をさせる（Ｓ７０３）。これにより、ＣＰＵ１２１、プリンタ制御部１０５はＲＡＭ１２２、ＲＡＭ１２５に保持したプログラム、設定に応じて稼動状態へ復帰して、印刷動作を開始する。
【０１１９】
（Ｂ−２−４）通常動作モードから電源オフ状態に遷移するまでの動作
第２の実施形態のプリンタ１Ａが、通常動作モードで動作している状態から、電源オフ状態に遷移するまでの動作については、一旦省電力動作モードに移行する際の処理が異なる（上述の図１４の処理を適用する）こと以外は、第１の実施形態と同様であるため、詳しい説明を省略する。
【０１２０】
（Ｂ−３）第２の実施形態の効果
第２の実施形態によれば、第１の実施形態の効果に加えて、以下のような効果を奏することができる。
【０１２１】
第２の実施形態のプリンタ１Ａの電源切替回路部１２４Ａは、上述の通り、接続点Ｐ１の前段の回路素子（デジトラ２０１、トランジスタ２０２、抵抗２０３、抵抗２０４、コンデンサ２０５、抵抗２０６）を省き、パワーオフ制御部１０３から、直接接続点Ｐ１の電位を制御するためのＰｏｗｅｒｓａｖｅ２−Ｐ信号が入力される構成となっている。また、メイン電源電圧Ｅ５Ｖの立ち上がりは、パワーオフ制御部１０３のＡＤＣ１１７で検知され、電源切替回路部１２４Ａの切替えタイミングはパワーオフ制御部１０３（Ｐｏｗｅｒｓａｖｅ２−Ｐ）により制御される構成となっている。これにより、プリンタ１Ａでは、メイン電源電圧Ｅ５Ｖが立ち上がったことを検知（電圧が所定値に達したことを検知）して、電源切替回路部１２４Ａをスイッチングさせるタイミングを精度良く実行することができる。第１の実施形態では、接続点Ｐ１の前段の回路素子（デジトラ２０１、トランジスタ２０２、抵抗２０３、抵抗２０４、コンデンサ２０５、抵抗２０６）をディスクリートの素子で構成しているが、第２の実施形態では、パワーオフ制御部１０３（マイクロコンピュータ）だけで上述の回路素子の機能を担うことができるため、第１の実施形態よりも精度良く上述の制御を行うことができる。通常、ディスクリートの素子を組み合わせて基盤上に構成された回路よりも、１つの半導体チップで構成されるマイクロコンピュータの方が、精度良く信号処理や電圧検出を行うことができる。
【０１２２】
（Ｃ）第３の実施形態
以下、本発明による電子機器及び画像形成装置の第３の実施形態を、図面を参照しながら詳述する。以下では、本発明の電子機器及び画像形成装置をプリンタに適用した場合の例について説明する。
【０１２３】
（Ｃ−１）第３の実施形態の構成
図１８は、この実施形態のプリンタ１Ｂの全体構成を示すブロック図であり、第２の実施形態の図１０と同一又は対応する部分には、同一又は対応する符号を付している。
【０１２４】
以下、では第３の実施形態について第２の実施形態との差異を説明する。
【０１２５】
第２の実施形態のプリンタ１は、１つの省電力動作モードに対応していたが、第３の実施形態では、複数の省電力動作モードに対応している点で、第２の実施形態と異なっている。以下では、プリンタ１Ｂは、第２の実施形態と同様の省電力動作モード（以下、「第１の省電力動作モード」と呼ぶ）に加えて、第２の省電力動作モードに対応しているものとする。プリンタ１Ｂは、第２の省電力動作モードで動作する場合、メイン電源１１３をＯＦＦ（リレー回路１１２をオフ）とせずに、ＣＰＵ１２１だけをスリープ状態に移行させ、ホストＰＣ２よりの印刷データ待ち状態となるものとする。
【０１２６】
具体的には、プリンタ１Ｂでは、ＣＰＵ１２１又は省電力制御部１０４が、第２の省電力動作モードに移行することを通知するＰｏｗｅｒｓａｖｅ３−Ｎ信号を出力し、そのＰｏｗｅｒｓａｖｅ３−Ｎ信号がパワーオフ制御部１０３へ入力される構成となっている。
【０１２７】
ＣＰＵ１２１（装置制御プログラム）が第１の省電力動作モード又は第２の省電力動作モードに移行すると判断するタイミングについては限定されないものであるが、例えば、ユーザによる設定に応じて移行する省電力動作モードを決定するようにしてもよい。
【０１２８】
（Ｃ−２）第３の実施形態の動作
次に、以上のような構成を有する第３の実施形態のプリンタ１Ｂの動作について、第２の実施形態との差異を説明する。第３の実施形態のプリンタ１Ｂの動作は、第２の実施形態と第２の省電力動作モードに係る部分のみ異なっているので、以下では、第２の省電力動作モードに係る動作のみ説明し、第１の省電力動作モードに係る動作説明は省略する。
【０１２９】
（Ｃ−２−１）通常動作モードから第２の省電力動作モードに遷移するまでの動作
次に、プリンタ１Ｂが通常動作モードで動作しているときに、第２の省電力動作モードに遷移するまでの動作について、図１９のフローチャート、及び図２０のタイミングチャートを用いて説明する。プリンタ１Ｂの各構成要素が図１９のフローチャートに従って動作すると、プリンタ１Ｂにおける各電圧・信号（サブ電源電圧Ｅ５ＶＳ０、ＳＵＢＰＷＲＯＮ−Ｎ信号、サブ電源電圧Ｅ５ＶＳ、Ｐｏｗｅｒｓａｖｅ−Ｎ信号、メイン電源電圧Ｅ５Ｖ、Ｐｏｗｅｒｓａｖｅ３−Ｎ信号、Ｐｏｗｅｒｓａｖｅ２−Ｐ信号（接続点Ｐ１）、及び電源電圧ＥＣＰＵ５Ｖ）の遷移は図２０のタイミングチャートのようになる。
【０１３０】
まず、タイミングＴ７０１の時点で、ＣＰＵ１２１（装置制御プログラム）で、第２の省電力動作モードに移行するイベントが発生し、第２の省電力動作モードに移行する準備処理を行ったものとする（Ｓ８０１）。
【０１３１】
第２の省電力動作モードでは、プリンタ制御部１０５への電源遮断は行われないため、この場合ＣＰＵ１２１は、第２の省電力動作モードに移行する準備処理として、プリンタ制御部１０５に対する処理を省略し、ＣＰＵ１２１、ＲＡＭ１２２、及びＲＡＭ１２５に係る処理のも行うようにしてもよい。しかし、ここでは、ＣＰＵ１２１は、第２の省電力動作モードに移行する準備処理として、プリンタ制御部１０５に、通常動作モードよりも省電力で動作するように、画像形成エンジン１１０の各機構(図示しないモータ等の駆動)の停止を行うよう指示するものとして説明する。
【０１３２】
ＣＰＵ１２１は、第２の省電力動作モードに移行する準備処理により、スリープ状態となる際に、Ｐｏｗｅｒｓａｖｅ３−Ｎ信号としてＬｏｗレベルを出力する（Ｓ８０２）。
【０１３３】
パワーオフ制御部１０３は、メイン電源電圧Ｅ５Ｖが立ち上がった状態（５Ｖの状態）、かつ、Ｐｏｗｅｒｓａｖｅ−Ｎ信号がＨｉｇｈレベル、かつＰｏｗｅｒｓａｖｅ３−Ｎ信号のＬｏｗレベルを検出したことにより、Ｐｏｗｅｒｓａｖｅ２−Ｐ信号をＨｉｇｈレベルで出力する。これにより、ＦＥＴ２１２がＯＦＦ状態、ＦＥＴ２１６がＯＮ状態となり、電源電圧ＥＣＰＵ５Ｖの供給源が、メイン電源電圧Ｅ５Ｖからサブ電源電圧Ｅ５ＶＳに切替わる（Ｓ８０３）。このとき、オフ状態のＦＥＴ２１２の寄生ダイオードＦ２１２ａはダイオード２１９よりもＶＦが大きいため５ＶからＥＣＰＵ５Ｖへの電流は流れることはない。
【０１３４】
そしてその後、ＣＰＵ１２１は、スリープ状態となり、プリンタ１Ｂは、第２の省電力動作モードで動作することになる。
【０１３５】
（Ｃ−２−２）第２の省電力動作モードから通常動作モードへ遷移するまでの動作
次に、プリンタ１Ｂが第２の省電力動作モードで動作しているときに、通常動作モードに遷移（復帰）（するまでの動作について、図２１のフローチャート、及び図２２のタイミングチャートを用いて説明する。プリンタ１Ｂの各構成要素が図２１のフローチャートに従って動作すると、プリンタ１Ｂにおける各電圧・信号（サブ電源電圧Ｅ５ＶＳ０、ＳＵＢＰＷＲＯＮ−Ｎ信号、サブ電源電圧Ｅ５ＶＳ、Ｐｏｗｅｒｓａｖｅ−Ｎ信号、メイン電源電圧Ｅ５Ｖ、Ｐｏｗｅｒｓａｖｅ３−Ｎ信号、Ｐｏｗｅｒｓａｖｅ２−Ｐ信号（接続点Ｐ１）、及び電源電圧ＥＣＰＵ５Ｖ）の遷移は図２２のタイミングチャートのようになる。
【０１３６】
まず、プリンタ１Ｂが第２の省電力動作モードで動作しているときに、タイミングＴ８０１の時点で通常動作モードへの遷移を開始するイベントが発生したものとする（Ｓ９０１）。
【０１３７】
ここでは、第２の実施形態と同様にホストＰＣ２から省電力制御部１０４に印刷データの供給があった場合、通常動作モードへの復帰イベントが発生するものとして説明する。そして、第２の省電力動作モードでも、ホストＰＣ２から省電力制御部１０４に印刷データの供給があった場合、省電力制御部１０４は、Ｐｏｗｅｒｓａｖｅ３−Ｎ信号としてＨｉｇｈレベルを出力するものとする。これにより、パワーオフ制御部１０３では、メイン電源電圧Ｅ５Ｖが立ち上がった状態（５Ｖの状態）、かつＰｏｗｅｒｓａｖｅ−Ｎ信号がＨｉｇｈレベル、かつＰｏｗｅｒｓａｖｅ３−Ｎ信号がＨｉｇｈレベルだったことを検出したことにより、Ｐｏｗｅｒｓａｖｅ２−Ｐ信号としてＬｏｗレベルを出力する。これにより、ＦＥＴ２１２がＯＮ状態、ＦＥＴ２１６がＯＦＦ状態となり、電源電圧ＥＣＰＵ５Ｖの供給源が、サブ電源電圧Ｅ５ＶＳからメイン電源電圧Ｅ５Ｖに切り替わることになる（Ｓ９０２）。
【０１３８】
そして、電源電圧ＥＣＰＵ５Ｖの供給源がメイン電源電圧Ｅ５Ｖに切り替わった後のタイミング（例えば、タイミングＴ８０１から所定期間後のタイミング）で、省電力制御部１０４は、ＣＰＵ１２１への復帰信号ＷＡＫＥＩＮＴ−Ｐ信号（割り込み信号）を制御することでＣＰＵ１２１をスリープ状態から稼動状態への復帰をさせる（Ｓ９０３）。これにより、ＣＰＵ１２１、プリンタ制御部１０５はＲＡＭ１２２、ＲＡＭ１２５に保持したプログラム、設定に応じて稼動状態へ復帰して、印刷動作を開始する。また、ＣＰＵ１２１は、稼動状態に復帰後、プリンタ制御部１０５に、画像形成エンジン１１０の状態を通常に復帰させる指示（省電力状態の解除指示）を行う。
【０１３９】
（Ｃ−３）第３の実施形態の効果
第３の実施形態によれば、第２の実施形態の効果に加えて以下のような効果を奏することができる。
【０１４０】
第３の実施形態では、第１の省電力動作モードに加えて、第２の省電力動作モードを備えているため、第２の実施形態と比較して、より柔軟な省電力制御を行い、ユーザの利便性を向上させることができる。プリンタ１Ｂが、第２の省電力動作モードとなった場合、メイン電源１１３をＯＦＦ（リレー回路１１２をオフ）せずに他の構成要素（プリンタ制御部１０５等）への電源供給を遮断しないため、より短時間で通常動作モードへ復帰することができる。
【０１４１】
（Ｄ）他の実施形態
本発明は、上記の各実施形態に限定されるものではなく、以下に例示するような変形実施形態も挙げることができる。
【０１４２】
（Ｄ−１）上記の各実施形態では本発明の電子機器をプリンタに適用する例について示したが、その他の電子機器に適用するようにしてもよい。例えば、本体部（当該電子機器の機能に係る構成要素であり、上記の各実施形態では画像形成エンジンが該当する）と、本題部の制御に係る１又は複数の制御部を備え、省電力動作モードで動作する場合でも全ての制御部への電源供給が停止できない電子機器であれば、本発明を適用して同様の効果を奏することができる。また、上記の各実施形態では、本発明の画像形成装置をプリンタに適用する例について示したが、本発明の画像形成装置を、他の画像形成装置（例えば、ＦＡＸ、複写機、複合機等）に適用するようにしてもよい。
【０１４３】
（Ｄ−２）第３の実施形態において、プリンタ１Ｂは、第２の実施形態のプリンタ１Ａに、第２の省電力動作モードに対応するための構成を付加しているが、第１の実施形態のプリンタ１についても第２の省電力動作モードに対応させるようにしてもよい。
【符号の説明】
【０１４４】
１…プリンタ、１０１…電源プラグ、１０２…低圧電源、１０３…パワーオフ制御部、１０４…省電力制御部、１０５…プリンタ制御部、１０６…ＰｃｈＦＥＴ、１０７…電源スイッチ、１０９…ＤＣ／ＤＣコンバータ、１１０…画像形成エンジン、１１１…サブ電源、１１２…リレー回路、１１３…メイン電源、１１３ａ…コンデンサ、１１３ｂ…コンデンサ、１１４…抵抗、１１５…高圧電源、１１６…抵抗、１１７…ＡＤＣ、１１８…抵抗、１１９…高圧電源、１２０…フラッシュメモリ、１２１…ＣＰＵ、１２１ａ…通信回路、１２１ｂ…通信回路、１２１ｃ…クロック回路、１２２…ＲＡＭ、１２３…ＤＣ／ＤＣコンバータ、１２４…電源切替回路部、１２５…ＲＡＭ、２０１…デジトラ、２０２…トランジスタ、２０３…抵抗、２０４…抵抗、２０５…コンデンサ、２０６…抵抗、２０７…デジトラ、２０８…デジトラ、２０９…抵抗、２１０…デジトラ、２１１…抵抗、２１２…ＰｃｈＦＥＴ、２１３…抵抗、２１４…コンデンサ、２１５…抵抗、２１６…ＰｃｈＦＥＴ、２１７…抵抗、２１８…コンデンサ、２１９…ダイオード。
【図１】
2015020361.tif 000003
【図２】
2015020361.tif 000004
【図３】
2015020361.tif 000005
【図４】
2015020361.tif 000006
【図５】
2015020361.tif 000007
【図６】
2015020361.tif 000008
【図７】
2015020361.tif 000009
【図８】
2015020361.tif 000010
【図９】
2015020361.tif 000011
【図１０】
2015020361.tif 000012
【図１１】
2015020361.tif 000013
【図１２】
2015020361.tif 000014
【図１３】
2015020361.tif 000015
【図１４】
2015020361.tif 000016
【図１５】
2015020361.tif 000017
【図１６】
2015020361.tif 000018
【図１７】
2015020361.tif 000019
【図１８】
2015020361.tif 000020
【図１９】
2015020361.tif 000021
【図２０】
2015020361.tif 000022
【図２１】
2015020361.tif 000023
【図２２】
2015020361.tif 000024